【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
人に流体を投与するための装置であって、
投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジングの外側に移動させ、次いで人の皮膚に刺し込ませるための駆動機構を含む刺し込み起動装置と、
を含み、
前記刺し込み起動装置の駆動装置が、プランジャ装置にして、ハウジングの第２壁の孔を貫いて伸延して流体投与装置の遠方端と連結する胴部を含むプランジャ装置を含み、該プランジャ装置に長手方向において力を付加すると前記刺通部材が第１位置から第２位置に移動される装置。
【請求項２】
プランジャ装置が、胴部上に配置した摩擦部材にして、プランジャ装置の胴部をハウジングの孔の幅寸法よりも幅広化し、かくして、前記摩擦部材を前記ハウジングの孔に通すためにプランジャ装置に長手方向における特定の力にして、流体投与装置の遠方端に伝えられる特定の力を必要とせしめるようにした摩擦部材を含む請求項１の装置。
【請求項３】
摩擦部材が環状のフランジである請求項２の装置。
【請求項４】
プランジャ装置が、ハウジングと接触して該プランジャ装置の移動を停止させるためのヘッド部分を更に含む請求項２の装置。
【請求項５】
プランジャ装置が、刺通部材を第２位置に移動させた後にハウジングから取り外される請求項４の装置。
【請求項６】
人に流体を投与するための装置であって、
投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジングの外側に移動させ、次いで人の皮膚に刺し込ませるための駆動機構を含む刺し込み起動装置と、
を含み、
刺し込み起動装置の駆動機構が、ハウジング内に格納したプランジャを含み、該プランジャが、横方向突起を含む第１端と、流体投与装置の遠方端に連結した第２端とを有し、該駆動機構が、プランジャを偏倚させて前記刺通部材をその第１位置から第２位置に移動させるための偏倚バネを更に含み、前記横方向突起が、前記刺通部材が第１位置にある状態下にハウジングの内側嶺部と接触してプランジャが刺通部材をその第１位置から第２位置に移動しないようにし、
前記ハウジングが、前記横方向突起を前記内側嶺部から付勢し、プランジャをして前記刺通部材を第１位置から第２位置に移動せしめるアクチュエータを含む装置。
【請求項７】
ハウジングのアクチュエータが、ハウジングの可撓性の壁部分の内面に連結したフィンガを含み、該フィンガの遠方端がプランジャの横方向突起と接触し、かくして、前記可撓性の壁部分に圧力を付加すると前記フィンガが横方向突起を内側嶺部から付勢し、かくして前記プランジャが刺通部材を第１位置から第２位置へと付勢する請求項６の装置。
【請求項８】
可撓性の壁部分に圧力を加えるとフィンガの遠方端が可撓性の壁部分と同じ方向に移動する請求項７の装置。
【請求項９】
可撓性の壁部分に圧力を加えるとフィンガの遠方端が可撓性の壁部分と実質的に反対方向に移動する請求項７の装置。
【請求項１０】
フィンガが、該フィンガの遠方端を可撓性の壁部分と実質的に反対方向に移動せしめるピボットを含んでいる請求項９の装置。
【請求項１１】
人に流体を投与するための装置であって、
投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジングの外側に移動させ、次いで人の皮膚に刺し込ませるための駆動機構を含む刺し込み起動装置と、
を含み、
刺し込み起動装置の駆動機構がピボットアームを含み、刺し込み装置がラッチアセンブリを更に含み、前記ピボットアームが、ハウジングの壁の内面にピボット自在に連結した近接端と、ハウジングの側壁と一体のラッチアセンブリと接触する遠方端とを有し、流体投与装置が前記ピボットアームと連結され、かくして前記ピボットアームの遠方端がラッチアセンブリと接触すると刺通部材が第１位置に移動され、
前記刺し込み起動装置が、前記ピボットアームの近接端と遠方端との間に取り付けた偏倚バネを更に含み、該偏倚バネが、前記ピボットアームを付勢した前記刺通部材を第２位置に移動させ、
前記ラッチアセンブリが、前記ピボットアームの遠方端と接触して該ピボットアームが偏倚バネの影響下に刺通部材を第１位置から第２位置に移動させるのを防止するためのラッチと、該ラッチを前記ピボットアームの遠方端との接触状態から外し、ピボットアームが刺通部材を偏倚バネの影響下に第１位置から第２位置に移動させることができるようにするラッチ釈放機構とを含んでいる装置。
【請求項１２】
ラッチ釈放機構が、ラッチと、ハウジングの側壁との間に連結した電動アクチュエータを含み、該電動アクチュエータは電気が印加されるとラッチをピボットアームの遠方端との接触状態から引き離す請求項１１の装置。
【請求項１３】
電動アクチュエータが、形状記憶合金、形状記憶ポリマー、圧電アクチュエータ及びソレノイドの何れかを含む請求項１２の装置。
【請求項１４】
ラッチ釈放機構に接続され、刺し込み指令の下に電動アクチュエータに電気を印加するようにプログラムしたローカルプロセッサと、
別個のリモート制御装置からの刺し込み指令を受け、受けた刺し込み指令をローカルプロセッサに送るべくローカルプロセッサに接続した無線レシーバと、
を更に含む請求項１２の装置。
【請求項１５】
ハウジングが、刺し込み指令をローカルプロセッサに提供するためのユーザー入力部品を持たない請求項１４の装置。
【請求項１６】
流体投与装置とは別個の遠隔制御装置を更に含み、
リモートプロセッサと、
該リモートプロセッサに接続され、刺し込み指令をリモートプロセッサに送るユーザーインターフェース部品と、
刺し込み指令を流体投与装置の無線レシーバに送るべくリモートプロセッサに接続したトランスミッタと、
を含む請求項１４の装置。
【請求項１７】
ラッチ釈放機構が機械的なレバーを含み、該レバーがラッチに連結され且つハウジングの側壁を貫いて突出し、かくして該レバーがハウジングから引き出されるに際し、ラッチがピボットアームの遠方端との接触状態から引き離される請求項１１の装置。
【請求項１８】
刺し込み起動装置が別個の第２ハウジングを含み、プランジャが、横方向突起を有する第１端と、流体投与装置の遠方端と摩擦接触する第２端とを含み、プランジャの第２端が前記第２ハウジングの内部からプランジャの遠方端の外側に伸延されてハウジングの孔に入り、次いで流体投与装置の遠方端と摩擦接触し、
刺し込み起動装置が、プランジャの第１端と第２ハウジングの近接端との間に連結された偏倚バネにして、第２ハウジングの内部でプランジャを駆動して刺通部材を第１位置から第２位置へと移動させ、前記横方向突起が、前記刺通部材が第１位置にある状態下では第２ハウジングの内側嶺部と接触され、プランジャが刺通部材を第１位置から第２位置に移動するのを防止し、
前記第２ハウジングが、前記横方向突起を前記内側嶺部から付勢してプランジャをして刺通部材第１位置から第２位置へと移動せしめるアクチュエータを含んでいる請求項１の装置。
【請求項１９】
刺し込み起動装置が別個の第２ハウジングを含み、プランジャが、横方向突起を有する第１端と、流体投与装置の遠方端と摩擦接触する第２端とを含み、プランジャの第２端が前記第２ハウジングの内部からプランジャの遠方端の外側に伸延されてハウジングの孔に入り、次いで流体投与装置の遠方端と摩擦接触し、
刺し込み起動装置が、プランジャの第１端と第２ハウジングの近接端との間に連結された偏倚バネにして、第２ハウジングの内部でプランジャを駆動して刺通部材を第１位置から第２位置へと移動させ、前記横方向突起が、前記刺通部材が第１位置にある状態下では第２ハウジングの内側嶺部と接触され、プランジャが刺通部材を第１位置から第２位置に移動するのを防止し、
ラッチアセンブリが、プランジャの横方向突起と接触して該プランジャが偏倚バネの影響下に刺通部材を第１位置から第２位置に移動するのを防止するためのラッチと、該ラッチを前記ピボットアームの遠方端との接触状態から外し、ピボットアームが刺通部材を偏倚バネの影響下に第１位置から第２位置に移動させることができるようにするラッチ釈放機構にして、ハウジングに連結したラッチ釈放機構とを含んでいる請求項１の装置。
【請求項２０】
ラッチ釈放機構が、ラッチと、ハウジングの側壁との間に連結した電動アクチュエータを含み、該電動アクチュエータが、電気を印加されるとラッチをピボットアームの遠方端との接触状態から引き離す請求項１７の装置。
【請求項２１】
電動アクチュエータが、形状記憶合金、形状記憶ポリマー、圧電アクチュエータ及びソレノイドの何れか１つを含む請求項２０の装置。
【請求項２２】
第２ハウジング内に収納され、ラッチ釈放機構に接続され、刺し込み指令の下に電動アクチュエータに電気を印加するようにプログラムしたローカルプロセッサと、
別個のリモート制御装置からの刺し込み指令を受け、受けた刺し込み指令をローカルプロセッサに送るべくローカルプロセッサに接続した無線レシーバと、
を更に含む請求項２０の装置。
【請求項２３】
ハウジングが、刺し込み指令をローカルプロセッサに提供するためのユーザー入力部品を持たない請求項２２の装置。
【請求項２４】
流体投与装置とは別個の遠隔制御装置を更に含み、
リモートプロセッサと、
該リモートプロセッサに接続され、刺し込み指令をリモートプロセッサに送るユーザーインターフェース部品と、
刺し込み指令を流体投与装置の無線レシーバに送るべくリモートプロセッサに接続したトランスミッタと、
を含む請求項２２の装置。
【請求項２５】
ラッチ釈放機構が機械的なレバーを含み、該レバーがラッチに連結され且つハウジングの側壁を貫いて突出し、かくして該レバーがハウジングから引き出されるに際し、ラッチがピボットアームの遠方端との接触状態から引き離される請求項１９の装置。
【請求項２６】
人に流体を投与するための装置であって、
投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジングの外側に移動させ、次いで人の皮膚に刺し込ませるための駆動機構を含む刺し込み起動装置と、
を含み、
駆動機構がプランジャを含み、該プランジャが、流体投与装置の遠方端と連結した第１端を有し、前記プランジャが偏倚されて刺通部材を第１位置から第２位置へと移動させ、刺し込み起動装置が、刺通部材をその第１位置に維持するべくプランジャと接触するラッチを含み、該ラッチが、該ラッチに連結される電動アクチュエータを含み、該電動アクチュエータは、電気を印加されるとプランジャを釈放し、かくしてプランジャが刺通部材を第１位置から第２位置に移動させることができるようにした装置。
【請求項２７】
電動アクチュエータが、形状記憶合金、形状記憶ポリマー、圧電アクチュエータ及びソレノイドの何れか１つを含む請求項２６の装置。
【請求項２８】
ラッチ釈放機構に接続され、刺し込み指令に基づき電動アクチュエータに電気を印加するべくプログラムされたローカルプロセッサと、
該ローカルプロセッサに接続され、別個の遠隔制御装置からの刺し込み指令を受け、受けた刺し込み指令をローカルプロセッサに送る無線レシーバと、
を更に含んでいる請求項２６の装置。
【請求項２９】
人に流体を投与するための装置であって、
投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有し、前記近接端が流体投与装置の中央部分により前記遠方端に結合された流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジングの外側の第２位置に移動させて人の皮膚に刺し込ませる駆動機構を含む刺し込み起動装置と、
を含み、
前記流体投与装置の中央部分がハウジングの第１壁と実質的に平行に配置され、前記中央部分が、刺通部材が第１位置にあるときは刺し込み起動装置の偏倚バネにより該刺し込み起動装置のラッチアセンブリに接触する状態に偏倚された横方向突起を含み、前記偏倚バネが、該横方向突起とハウジングの内側嶺部との間に連結され、該偏倚バネはその負荷状態下において、前記ラッチアセンブリを起動させると流体投与装置をハウジングの第１壁と実質的に平行な方向に移動させ、かくして刺通部材を第１位置から第２位置に移動させる装置。
【請求項３０】
流体投与装置の遠方端が可撓性を有し、ハウジングが、流体投与装置の移動の通路内に逸らせ装置を含み、ラッチアセンブリを起動すると流体投与装置の遠方端が前記逸らせ装置と接触し、該流体投与装置の遠方端がハウジングの第１壁と実質的に平行な第１移動方向から少なくとも１５°移動した第２移動方向に逸らされるようにした請求項２９の装置。
【請求項３１】
第２移動方向が第１位同方向から９０°までの角度方向である請求項３０の装置。
【請求項３２】
ラッチアセンブリが、流体投与装置の横方向突起と接触して偏倚バネが刺通部材を第１位置から第２位置に移動するのを防止するためのラッチと、該ラッチを前記横方向突起との接触状態から外し、偏倚バネが刺通部材を第１位置から第２位置に移動させることができるようにするラッチ釈放機構とを含んでいる請求項３０の装置。
【請求項３３】
ラッチ釈放機構が、ラッチとハウジングとの間に連結した電動アクチュエータを含み、該電動アクチュエータに電気を印加すると形状記憶合金製のワイヤが収縮し、ラッチを流体投与装置の横方向突起との接触状態から引き離すようにした請求項３２の装置。
【請求項３４】
電動アクチュエータが、形状記憶合金、形状記憶ポリマー、圧電アクチュエータ、ソレノイドの何れか１つを含む請求項３３の装置。
【請求項３５】
ラッチ釈放機構に接続され、刺し込み指令に基づき電動アクチュエータに電気を印加するようにプログラムしたローカルプロセッサと、
別個の遠隔制御装置からの刺し込み指令を受け、受けた刺し込み指令をローカルプロセッサに送るための無線レシーバと、
を含む請求項３３の装置。
【請求項３６】
ハウジングが、刺し込み指令をローカルプロセッサに提供するためのユーザー入力部品を持たない請求項３５の装置。
【請求項３７】
流体投与装置とは別個の遠隔制御装置を更に含み、
リモートプロセッサと、
該リモートプロセッサに接続され、刺し込み指令をローカルプロセッサに送るためのユーザーインターフェース部品と、
刺し込み指令を流体投与装置の無線レシーバに送るべくローカルプロセッサに結合したトランスミッタと、
を更に含む請求項３５の装置。
【請求項３８】
ラッチ釈放機構が、ラッチに連結した機械的なレバーと、ハウジングの側壁を貫く突起とを含み、前記レバーに力を付加するとラッチがピボットアームの遠方端との接触状態を外すようにした請求項３２の装置。
【請求項３９】
偏倚バネが、捻りバネ、コイルバネ、らせんばね、圧縮バネ、伸張バネ、空気バネ、波状バネ、円錐バネ、定荷重バネ、皿バネ、ビーハイブバネ、の何れか１つを含む請求項２９の装置。
【請求項４０】
人に流体を投与するための装置であって、
投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジングの外側の第２位置に移動させて人の皮膚に刺し込ませるための駆動機構を含む刺し込み起動装置と、
を含み、
前記駆動機構が、駆動軸に連結した第１部分と、該第１部分とは反対側で且つ前記流体投与装置と接触する第２部分とを有するレバーを含み、
刺し込み起動装置が、前記駆動手段が起動される際に駆動軸を回転させるべく前記駆動軸に作動上連結した駆動手段を含み、前記レバーの第２部分が、前記駆動軸が回転されると前記刺通部材を第１位置から第２位置に移動させるようにした装置。
【請求項４１】
レバーが円盤を含む請求項４０の装置。
【請求項４２】
駆動手段がモーターを含む請求項４０の装置。
【請求項４３】
駆動手段が、駆動軸の周囲に配置した負荷状態としたコイルバネにして、脱負荷状態において駆動軸を回転せしめるコイルバネである請求項４０の装置。
【請求項４４】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有し、前記近接端が流体投与装置の中央部分により前記遠方端に接続される流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジング外側の第２位置に移動させて人の皮膚に刺し込ませるための駆動機構を含む刺し込み起動装置と、
を含み、
前記流体投与装置の中央部分がハウジングの第１壁と実質的に平行に配置され且つ横方向突起を含み、
前記駆動機構が、前記横方向突起の一方側に配置した付勢装置を含み、前記付勢装置が、前記横方向突起と接触する状態に移動自在であり、横方向突起と接触すると該横方向突起を該付勢装置に関して下方に押し下げ、かくして刺通部材を第１位置から第２位置に移動させるようにした装置。
【請求項４５】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジング外側の第２位置に移動させて人の皮膚に刺し込ませるための駆動機構を含む刺し込み起動装置と、
を含み、
前記流体投与装置が、可撓性カニューラの内部に収納した針を含み、前記刺通部材が、該針の遠方端位置に配置され、前記可撓性カニューラがその遠方端に近接する部分にベローズを含み、該ベローズが、前記流体投与装置が第１位置にあるとき圧縮状態とされ、かくして刺通部材が可撓性カニューラの遠方端を越えて伸延され、
前記刺し込み起動装置が、流体投与装置において前記近接端と可撓性カニューラのベローズ部分との間に連結された胴部を有し、プランジャに第１方向において第１力を付加すると流体投与装置が前記第１位置から第２位置に移動され、針の刺通部材と可撓性カニューラの遠方端とが前記出口ポートを貫いて伸延されて人の皮膚に入り込むようにした装置。
【請求項４６】
プランジャに第１方向と実質的に反対の第２方向において第２力を付加すると針の刺通部材が第３位置に引き込まれ、また可撓性カニューラのベローズ部分が伸張され、かくして可撓性カニューラの遠方端が第２位置に維持され得るようにした請求項４５の装置。
【請求項４７】
プランジャがハウジングの第２壁を貫いて伸延し、プランジャがハウジングの外側のヘッド部分を含み、人が直接、第１力をヘッド部分に付加した場合に流体投与装置が第１位置から第２位置に移動される請求項４６の装置。
【請求項４８】
人が直接、第２力をヘッド部分に付加した場合に針の刺通部材が第３位置に移動する請求項４７の装置。
【請求項４９】
刺し込み起動装置が、プランジャと、ハウジングの内壁との間に連結したバネを含み、該バネが、流体投与装置が第１位置にあるとき脱負荷状態とされ、流体投与装置が第２位置にあるとき負荷状態とされ、第１力の付加が終了すると前記バネがプランジャに第２力を加え、かくして刺通部材が第３位置に移動される請求項４７の装置。
【請求項５０】
プランジャが横方向突起を含み、刺し込み起動装置が、負荷状態下の第１バネにして、横方向突起に関し、そのエネルギーを釈放する際に該横方向突起に第１力を付与するように位置決めされた第１バネと、負荷状態下の第２バネにして、横方向突起に関し、そのエネルギーを釈放する際に該横方向突起に第２力を付与するように位置決めされた第２バネとを含み、前記刺し込み起動装置が、第１バネをその負荷状態に維持し、第２バネを負荷状態に維持するためのラッチアセンブリを含む請求項４６の装置。
【請求項５１】
ラッチアセンブリが、第１バネが負荷状態下に維持される閉位置と、第１バネの負荷が釈放され、かくして第１力が横方向突起に付加されて流体投与装置が第１位置から第２位置に移動される開位置との間を可動の第１ラッチアームを含む請求項５０の装置。
【請求項５２】
第１ラッチアームが、第１バネと接触することによりその閉位置に保持され、第１ラッチアームをその閉位置に移動する第１ラッチ起動装置を含む請求項５１の装置。
【請求項５３】
第１ラッチ起動装置が、第１ラッチアームに連結した第１電動アクチュエータを含み、該第１電動アクチュエータは、電気を印加されて起動すると前記第１ラッチアームを閉位置から開位置に移動させる請求項５２の装置。
【請求項５４】
第１電動アクチュエータが、形状記憶合金、形状記憶ポリマー、圧電アクチュエータ、ソレノイドの何れか１つを含む請求項５３の装置。
【請求項５５】
ラッチアセンブリが、第２バネが負荷状態に維持される閉位置と、第２バネの負荷エネルギーが釈放され、かくして第２力が横方向突起に付加されて流体投与装置が第１位置から第２位置に移動される開位置との間を可動の第２ラッチアームを含む請求項５３の装置。
【請求項５６】
第２ラッチアームが、第２バネと接触することによりその閉位置に保持され、該第２バネを開位置に移動させる第２ラッチ起動装置を含む請求項５５の装置。
【請求項５７】
第２ラッチ起動装置が、第２ラッチアームに連結した第２電動アクチュエータを含み、該第２電動アクチュエータは、電気を印加されて起動すると前記第２ラッチアームを閉位置から開位置に移動させる請求項５６の装置。
【請求項５８】
第２電動アクチュエータが、形状記憶合金、形状記憶ポリマー、圧電アクチュエータ、ソレノイドの何れか１つを含む請求項５７の装置。
【請求項５９】
第１ラッチ起動装置に接続されたローカルプロセッサにして、第１刺し込み指令に基づき電動アクチュエータに電気を印加するようにプログラムしたローカルプロセッサと、
別個の遠隔制御装置からの第１刺し込み指令を受け、受けた第１刺し込み指令をローカルプロセッサに送るための無線レシーバと、
を含む請求項５３の装置。
【請求項６０】
ハウジングが、ローカルプロセッサに第１刺し込み指令を提供するためのユーザー入力部品を持たない請求項５９の装置。
【請求項６１】
流体投与装置とは別個の遠隔制御装置を含み、
リモートプロセッサと、
該リモートプロセッサに接続され、第１刺し込み指令をローカルプロセッサに送るためのユーザーインターフェース部品と、
第１刺し込み指令を流体投与装置の無線レシーバに送るべくローカルプロセッサに結合したトランスミッタと、
を更に含む請求項５９の装置。
【請求項６２】
ローカルプロセッサが、第２ラッチ起動装置に更に結合され且つ、第２刺し込み指令に基づき第２電動アクチュエータに電気を印加するようにプログラムされ、
別個の遠隔制御装置から第２刺し込み指令を受け、受けた第２刺し込み指令をローカルプロセッサに送るべくローカルプロセッサに結合した無線レシーバを更に含む請求項５９の装置。
【請求項６３】
遠隔制御装置が、第２刺し込み指令をリモートプロセッサに送るべくリモートプロセッサに結合したユーザーインターフェースを更に含み、
トランスミッタが第２刺し込み指令を流体投与装置の無線レシーバに送るようにした請求項６２の装置。
【請求項６４】
第３位置が第１位置である請求項４６の装置。
【請求項６５】
第３位置がハウジングの内部の且つ第１位置よりも出口ポートから離れた位置にある請求項４６の装置。
【請求項６６】
第３位置が第１位置及び第２位置の間にあり、刺通部材が可撓性カニューラの遠方端とハウジングの出口ポートとの間に位置付けられる請求項４６の装置。
【請求項６７】
流体投与装置が、第１力が付加されると針の近接端と遠方端との間の中間部分がハウジングの第１壁と実質的に平行方向に移動される請求項４５の装置。
【請求項６８】
ハウジングが、流体投与装置の移動通路に沿って位置付けた逸らせ装置を含み、該逸らせ装置が、流体投与装置の遠方端に少なくとも１５°の曲げ部分を付与し、かくして、流体投与装置が移動されるに際して前記出口ポートを通して前記遠方端が第１位置から第２位置に移動される請求項６７の装置。
【請求項６９】
第２ラッチ起動装置が、横方向突起上に配置した付勢装置を含み、第１バネが横方向突起に第１力を付加すると該付勢装置が第２ラッチアームと接触して該第２ラッチアームを開位置に付勢し、かくして横方向突起に第２力が付与される請求項５６の装置。
【請求項７０】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、
を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、
を含むハウジングと、
流体投与装置と接触し、前記刺通部材をハウジング内の第１位置から、出口ポートを通してハウジング外側の第２位置に移動させて人の皮膚に刺し込ませるための駆動機構を含む刺し込み起動装置と、
を含み、
前記流体投与装置が、可撓性カニューラの内部に収納した針を含み、前記刺通部材が該針の遠方端位置に配置され、前記可撓性カニューラがその遠方端に近接する部分に引込み防止機構を含み、該引込み防止機構が、前記流体投与装置が第１位置にあるときハウジング内部にあり、かくして刺通部材が可撓性カニューラの遠方端を越えて伸延され、
前記刺し込み起動装置が、前記流体投与装置に連結した胴部を有するプランジャを含み、プランジャに第１方向において第１力を付加すると流体投与装置が前記第１位置から第２位置に移動され、針の刺通部材と可撓性カニューラの遠方端とが前記出口ポートを貫いて伸延されて人の皮膚に入り込み、前記引込み防止機構がハウジングの出口ポートと接触するようにした装置。
【請求項７１】
引込み防止機構が、可撓性カニューラ上に配置した突起にして、可撓性カニューラの幅寸法をして出口ポートの幅寸法よりも大きくせしめる突起を含む請求項７０の装置。
【請求項７２】
引込み防止機構が、可撓性カニューラ上に配置した環状リングにして、出口ポートの直径よりも直径の大きい環状リングを含む請求項７１の装置。
【請求項７３】
引込み防止機構が可撓性カニューラの外側粗化部分を含む請求項７０の装置。
【請求項７４】
引込み防止機構が可撓性カニューラの外側表面上に配置した１つ以上のとげ状部分を含む請求項７０の装置。
【請求項７５】
プランジャに、第１方向と実質的に反対の第２方向において第２力を付加すると針の刺通部材が第３位置に引き込まれ、可撓性カニューラの引込み防止機構が出口ポートと接触し、かくして可撓性カニューラの遠方端を第２位置に維持するべく付勢するようにした請求項７０の装置。
【請求項７６】
プランジャがハウジングの第２壁を貫いて伸延され、プランジャがハウジングの外側のヘッド部分を含み、人が直接第１力をヘッド部分に付加した場合に流体投与装置が第１位置から第２位置に移動される請求項７５の装置。
【請求項７７】
人が直接第２力をヘッド部分に付加した場合に針の刺通部材が第３位置に移動する請求項７６の装置。
【請求項７８】
刺し込み起動装置が、プランジャと、ハウジングの内壁との間に連結したバネを含み、該バネが、流体投与装置が第１位置にあるとき脱負荷状態とされ、流体投与装置が第２位置にあるとき負荷状態とされ、第１力の付加が終了すると前記バネがプランジャに第２力を付加し、かくして刺通部材が第３位置に移動する請求項７６の装置。
【請求項７９】
プランジャが横方向突起を含み、刺し込み起動装置が負荷状態下の第１バネにして、脱負荷状態とされるに際して横方向突起に第１力を付加するように位置決めされた第１バネと、負荷状態下の第２バネにして、脱負荷状態とされるに際して横方向突起に第２力を付加するように位置決めされた第２バネとを含み、刺し込み起動装置が、前記第１バネ及び第２バネを各負荷状態に維持するためのラッチアセンブリを含んでいる請求項７５の装置。
【請求項８０】
ラッチアセンブリが、第１バネが負荷状態下に維持される閉位置と、第１バネの負荷が釈放され、かくして第１力が横方向突起に付加されて流体投与装置が第１位置から第２位置に移動される開位置との間を可動の第１ラッチアームを含む請求項７９の装置。
【請求項８１】
第１ラッチアームが、第１バネと接触することによりその閉位置に保持され、第１ラッチアームをその閉位置に移動する第１ラッチ起動装置を含む請求項８０の装置。
【請求項８２】
第１ラッチ起動装置が、第１ラッチアームとハウジングとの間に連結した第１電動アクチュエータを含み、該第１電動アクチュエータは、電気を印加され起動されると前記第１ラッチアームを閉位置から開位置に移動させる請求項８１の装置。
【請求項８３】
第１電動アクチュエータが、形状記憶合金、形状記憶ポリマー、圧電アクチュエータ、ソレノイドの何れか１つを含む請求項８２の装置。
【請求項８４】
ラッチアセンブリが、第２バネが負荷状態に維持される閉位置と、第２バネの負荷エネルギーが釈放され、かくして第２力が横方向突起に付加されて流体投与装置が第１位置から第２位置に移動される開位置との間を可動の第２ラッチアームを含む請求項８２装置。
【請求項８５】
第２ラッチアームが、第２バネと接触することによりその閉位置に保持され、該第２バネを開位置に移動させる第２ラッチ起動装置を含む請求項８４の装置。
【請求項８６】
第２ラッチ起動装置が、第２ラッチアームに連結した第２電動アクチュエータを含み、該第２電動アクチュエータは、電気を印加され起動されると前記第２ラッチアームを閉位置から開位置に移動させる請求項８５の装置。
【請求項８７】
第２電動アクチュエータが、形状記憶合金、形状記憶ポリマー、圧電アクチュエータ、ソレノイドの何れか１つを含む請求項８６の装置。
【請求項８８】
第１ラッチ起動装置に接続されたローカルプロセッサにして、第１刺し込み指令に基づき電動アクチュエータを電気を印加するようにプログラムしたローカルプロセッサと、
別個の遠隔制御装置からの第１刺し込み指令を受け、受けた第１刺し込み指令をローカルプロセッサに送るための無線レシーバと、
を含む請求項８２の装置。
【請求項８９】
ハウジングが、ローカルプロセッサに第１刺し込み指令を提供するためのユーザー入力部品を持たない請求項８８の装置。
【請求項９０】
流体投与装置とは別個の遠隔制御装置を含み、
リモートプロセッサと、
該リモートプロセッサに接続され、第１刺し込み指令をローカルプロセッサに送るためのユーザーインターフェース部品と、
第１刺し込み指令を流体投与装置の無線レシーバに送るべくローカルプロセッサに結合したトランスミッタと、
を更に含む請求項８８の装置。
【請求項９１】
ローカルプロセッサが、第２ラッチ起動装置に更に結合され且つ、第２刺し込み指令に基づき第２電動アクチュエータに電気を印加するようにプログラムされ、
別個の遠隔制御装置から第２刺し込み指令を受け、受けた第２刺し込み指令をローカルプロセッサに送るべくローカルプロセッサに結合した無線レシーバを更に含む請求項８０の装置。
【請求項９２】
遠隔制御装置が、第２刺し込み指令をリモートプロセッサに送るべくリモートプロセッサに結合したユーザーインターフェースを更に含み、
トランスミッタが第２刺し込み指令を流体投与装置の無線レシーバに送るようにした請求項９１の装置。
【請求項９３】
第３位置が第１位置である請求項７５の装置。
【請求項９４】
第３位置がハウジングの内部の且つ第１位置よりも出口ポートから離れた位置にある請求項７５の装置。
【請求項９５】
第３位置が第１位置及び第２位置の間にあり、刺通部材が可撓性カニューラの遠方端とハウジングの出口ポートとの間に位置付けられる請求項７５の装置。
【請求項９６】
流体投与装置の、針の近接端と遠方端との間の中間部分が、第１力が付加されるとハウジングの第１壁と実質的に平行方向に移動される請求項７５の装置。
【請求項９７】
ハウジングが、流体投与装置の移動通路に沿って位置付けた逸らせ装置を含み、該逸らせ装置が、流体投与装置の遠方端に少なくとも１５°の曲げ部分を付与し、かくして、流体投与装置が移動されるに際して前記出口ポートを通して前記遠方端が第１位置から第２位置に移動される請求項９１の装置。
【請求項９８】
第２ラッチ起動装置が、横方向突起上に配置した付勢装置を含み、第１バネが横方向突起に第１力を付加すると該付勢装置が第２ラッチアームと接触して該第２ラッチアームを開位置に付勢し、かくして横方向突起に第２力が付与される請求項８１の装置。
【請求項９９】
ハウジングに、人の皮膚における、流体投与装置の刺し込み部位が見えるようにするための透明部分が出口ポートに近接して配置した請求項１の装置。
【請求項１００】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、出口ポートに近接する引込み防止機構と、を含むハウジングと、
流体投与装置と接触し、前記刺通部材をハウジング内の第１位置から、出口ポートを通してハウジング外側の第２位置に移動させて人の皮膚に刺し込ませるための駆動機構を含む刺し込み起動装置と、
を含み、
前記流体投与装置が、可撓性カニューラの内部に収納した針を含み、前記刺通部材が該針の遠方端位置に配置され、
前記刺し込み起動装置が、前記流体投与装置に連結した胴部を有するプランジャを含み、プランジャに第１方向において第１力を付加すると流体投与装置が前記第１位置から第２位置に移動され、針の刺通部材と可撓性カニューラの遠方端とが前記出口ポートを貫いて伸延されて人の皮膚に入り込み、前記可撓性カニューラの遠方端が前記引込み防止機構と摩擦接触するようにした装置。
【請求項１０１】
プランジャに第１方向とは実質的に反対の第２方向において第２力を付加すると針の刺通部材が第３位置に引き込まれ、ハウジングの引込み防止機構が可撓性カニューラの遠方端を第２位置に維持する請求項１００の装置。
【請求項１０２】
引込み防止機構が可撓性カニューラの外側粗化部分を含む請求項１０１の装置。
【請求項１０３】
引込み防止機構が可撓性カニューラの外側表面上に配置した１つ以上のとげ状部分を含む請求項１０１の装置。
【請求項１０４】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジング外側の第２位置に移動させて人の皮膚に刺し込ませるための駆動機構を含む刺し込み起動装置と、
を含み、
前記流体投与装置が、可撓性カニューラの内部に収納した針を含み、前記刺通部材が該針の遠方端位置で可撓性カニューラの遠方端を越えて配置され、前記可撓性カニューラが針よりも短い長さを有し、可撓性カニューラの、針の遠方端と反対側の近接端が、可撓性カニューラと針との間に摩擦シールを提供するべく構成及び配列され、該摩擦シールが、可撓性カニューラの遠方端と針との間からの流体の漏出を防止し、一方、可撓性カニューラの遠方端が針に沿って摺動可能とし、
前記刺し込み起動装置が、前記流体投与装置に連結した胴部を有するプランジャを含み、プランジャに第１方向において第１力を付加すると流体投与装置が前記第１位置から第２位置に移動され、針の刺通部材と可撓性カニューラの遠方端とが前記出口ポートを貫いて伸延されて人の皮膚に入り込み、前記引込み防止機構がハウジングの出口ポートと接触するようにした装置。
【請求項１０５】
プランジャが、可撓性カニューラに連結した第１胴部と、針に連結され且つ前記第１胴部と接触する第２胴部とを含み、
第１力が付加されると第２胴部が針を移動させ、第１部分と可撓性カニューラとが第１位置から第２位置に移動する請求項１０４の装置。
【請求項１０６】
第２胴部に第１方向と実質的に反対方向において第２力を付加すると第２胴部及び針が第３位置に引き込まれる請求項１０５の装置。
【請求項１０７】
刺し込み起動装置が、可撓性カニューラと接触して該可撓性カニューラを第２力が付加される以前に於いて第２位置に維持するための保持部材を更に含み、かくして針が可撓性カニューラとは無関係に第３位置に移動され得る請求項１０６の装置。
【請求項１０８】
刺し込み起動装置が、第１力が付加される以前において流体投与装置を第１位置に維持するための第１ラッチ機構を更に含む請求項１０７の装置。
【請求項１０９】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジング外側の第２位置に移動させて人の皮膚に刺し込ませるための駆動機構を含む刺し込み起動装置と、
を含み、
前記流体投与装置が、可撓性カニューラの内部に収納した針を含み、前記刺通部材が該針の遠方端位置に配置され、前記可撓性カニューラが該可撓性カニューラの遠方端位置に引き込み防止機構を含み、流体投与装置が第１位置にあるとき該引込み防止機構がハウジング内にあり、引込み防止機構が可撓性カニューラの遠方端を越えて伸延され、
前記駆動機構が、刺し込み起動装置の駆動機構と流体投与装置との間に連結した、回転運動を直線運動に変換する直線運動変換装置にして、該直線運動変換装置の駆動軸に付与された回転運動を直線運動に変換する直線運動変換装置を含み、該直線運動変換装置が、前記駆動機構をして、前記駆動軸の回転移動の第１部分の間に刺通部材を第１位置から第２位置に移動させる装置。
【請求項１１０】
直線運動変換装置が、該直線運動変換装置の駆動軸の回転移動の第２部分の間に刺通部材を第３位置に引き込むようにした請求項１０９の装置。
【請求項１１１】
直線運動変換装置が、該直線運動変換装置の駆動軸に連結したクランクにして、付勢ロッドを含むクランクを更に含み、刺し込み起動装置が、流体投与装置に連結した力変換器にして、付勢ロッドを受けるための長手方向長孔を有し、前記駆動軸及びクランクが回転すると付勢ロッドの回転運動を直線運動に変換して流体投与装置に付与し、かくして刺通部材を第１位置から第２位置及び第３位置に移動させるようにした請求項１０９の装置。
【請求項１１２】
刺し込み起動装置の回転駆動手段がモーターである請求項１０９の装置。
【請求項１１３】
回転駆動手段が、直線運動変換装置の駆動軸の周囲に配置した負荷状態のバネにして、脱負荷状態とされると前記駆動軸を回転させるバネを含んでいる請求項１０９の装置。
【請求項１１４】
刺し込み起動装置が、バネを負荷状態に維持する閉位置と、バネを脱負荷状態に釈放して駆動軸を回転せしめる開位置との間で可動のラッチアームを更に含む請求項１１３の装置。
【請求項１１５】
ラッチアームが、クランクと接触することにより閉位置に保持され、ラッチアームを開位置に移動させるラッチ起動装置を含んでいる請求項１１４の装置。
【請求項１１６】
ラッチ起動装置が、ラッチアームに連結した第１電動アクチュエータを含み、該第１電動アクチュエータは、電気を印加されるとラッチアームを閉位置から開位置に移動させる請求項１１５の装置。
【請求項１１７】
第１電動アクチュエータが、形状記憶合金、形状記憶ポリマー、圧電アクチュエータ、ソレノイドの何れか１つを含む請求項１１６の装置。
【請求項１１８】
ラッチ起動装置に結合され、第１刺し込み指令に基づき第１電動アクチュエータに電気を印加するようにプログラムしたローカルプロセッサと、
別個の遠隔制御装置からの第１刺し込み指令を受け、受けた第１刺し込み指令をローカルプロセッサに送るための無線レシーバを更に含む請求項１１５の装置。
【請求項１１９】
ハウジングが、ローカルプロセッサに刺し込み指令を提供するためのユーザー入力部品を持たない請求項１１８の装置。
【請求項１２０】
流体投与装置とは別個の遠隔制御装置を更に含み、
リモートプロセッサと、
該リモートプロセッサに接続され、刺し込み指令をローカルプロセッサに送るためのユーザーインターフェース部品と、
刺し込み指令を流体投与装置の無線レシーバに送るべくローカルプロセッサに結合したトランスミッタと、
を更に含む請求項１１８の装置。
【請求項１２１】
第３位置が第１位置である請求項１１０の装置。
【請求項１２２】
第３位置がハウジング内部にあり且つ第１位置よりも出口ポートから離れている請求項１１０の装置。
【請求項１２３】
第３位置が第１位置及び第２位置の間にあり、刺通部材が可撓性カニューラの遠方端とハウジングの出口ポートとの間に位置付けられる請求項１１０の装置。
【請求項１２４】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジング外側の第２位置に移動させて人の皮膚に刺し込ませるための刺し込み起動装置と、
を含み、
前記流体投与装置が、可撓性カニューラの内部に収納した針を含み、前記刺通部材が該針の遠方端位置に配置され、前記可撓性カニューラが該可撓性カニューラの遠方端位置に引き込み防止機構を含み、流体投与装置が第１位置にあるとき該引込み防止機構がハウジング内にあり、引込み防止機構が可撓性カニューラの遠方端を越えて伸延され、
前記刺し込み起動装置が、ラッチアームにして、該ラッチアームが閉位置にあるとき流体投与装置を第１に維持するラッチアームと、流体投与装置に連結した負荷状態下の第１バネとを含み、ラッチアームが釈放されると第１バネが脱負荷状態とされ、かくして刺通部材をして第１位置から第２位置に移動せしめ、前記針の刺通部材と、可撓性カニューラの遠方端とが前記出口ポートを貫いて伸延し、人の皮膚内に入り込み、引込み防止機構がハウジングの出口ポートと接触するようにした装置。
【請求項１２５】
第１バネが、流体投与装置と接触する遠方端を有する板バネを含み、刺通部材が第２位置に移動されると該板バネが流体投与装置との接触状態から外れるようにした請求項１２４の装置。
【請求項１２６】
刺し込み起動装置が、流体投与装置に連結した第２バネにして、刺通部材が第１位置にあるときは脱負荷状態とされ、ラッチアームが釈放されて刺通部材が第１位置から第２位置に移動すると負荷状態とされ、刺通部材が第２位置に到達すると負荷状態とされ、前記第１バネが流体投与装置との接触状態から外れると第２バネが刺通部材を第３位置に引き込み、一方、引込み防止機構が出口ポートと接触し、かくして可撓性カニューラの遠方端を付勢してその第２位置に維持するようにした請求項１２４の装置。
【請求項１２７】
ラッチアームが、流体投与装置と接触することによりその閉位置に維持され、ラッチがラッチ起動装置により釈放される請求項１２４の装置。
【請求項１２８】
ラッチ起動装置が、ラッチアームに連結した第１電動アクチュエータを含み、該第１電動アクチュエータは、電気を印加されるとラッチアームを閉位置から開位置に移動させる請求項１２７の装置。
【請求項１２９】
第１電動アクチュエータが、形状記憶合金、形状記憶ポリマー、圧電アクチュエータ、ソレノイドの何れか１つを含む請求項１２８の装置。
【請求項１３０】
ラッチ起動装置に結合され、第１刺し込み指令に基づき第１電動アクチュエータに電気を印加するようにプログラムしたローカルプロセッサと、
別個の遠隔制御装置からの第１刺し込み指令を受け、受けた第１刺し込み指令をローカルプロセッサに送るための無線レシーバを更に含む請求項１２７の装置。
【請求項１３１】
ハウジングが、ローカルプロセッサに刺し込み指令を提供するためのユーザー入力部品を持たない請求項１３０の装置。
【請求項１３２】
流体投与装置とは別個の遠隔制御装置を更に含み、
リモートプロセッサと、
該リモートプロセッサに接続され、刺し込み指令をローカルプロセッサに送るためのユーザーインターフェース部品と、
刺し込み指令を流体投与装置の無線レシーバに送るべくローカルプロセッサに結合したトランスミッタと、
を更に含む請求項１３０の装置。
【請求項１３３】
駆動機構が、刺し込み起動装置の傾斜ランプ部分に配置され且つ流体投与装置と接触する摺動装置を含み、前記傾斜ランプ部分が流体投与装置に関し、前記摺動装置が該傾斜ランプ部分に沿って移動すると該摺動装置の付勢部材が傾斜ランプ部分と流体投与装置との間を摺動し、かくして流体投与装置が第１位置から第２位置に移動されるように配置される請求項１の装置。
【請求項１３４】
摺動装置が、ハンドル部分にして、ハウジングの外側に位置付けられ、装置のユーザーをして付勢部材を傾斜ランプ部分に沿って手動により摺動させ、かくして流体投与装置を第１位置から第２位置に移動させ得るようにするためのハンドル部分を更に含む請求項１３３の装置。
【請求項１３５】
プランジャが、針に連結した胴部にして、可撓性カニューラの近接端と接触する胴部を含み、第１方向において第１力を付加すると該胴部が針及び可撓性カニューラを第１位置から第２位置に移動させる請求項１０４の装置。
【請求項１３６】
胴部に第１方向とは実質的に反対の第２方向において第２力を付加すると胴部が第３位置に引き込まれる請求項１３５の装置。
【請求項１３７】
刺し込み起動装置が、第２力が付加される以前において、可撓性カニューラと接触して該可撓性カニューラを第２位置に維持するための保持部材を更に含み、かくして針が可撓性カニューラとは別個に第３位置に移動され得るようにした請求項１３８の装置。
【請求項１３８】
刺し込み起動装置が、流体投与装置が第１位置にある間は負荷状態とされるバネを更に含む請求項１３７の装置。
【請求項１３９】
バネは、脱負荷状態とされるに際し、該脱負荷状態の第１部分の間プランジャに第１力を付加し、流体投与装置を第１位置から第２位置に移動させる請求項１３８の装置。
【請求項１４０】
脱負荷状態の第２部分の間、バネは第１方向と実質的に反対の第２方向においてプランジャを移動させ、かくして胴部及び針を第３位置に引き込ませる請求項１３９の装置。
【請求項１４１】
ラッチアームにして、その閉位置では流体投与装置を第１位置に維持し且つバネを負荷状態に維持するラッチアームを更に含む請求項１３８の装置。
【請求項１４２】
ラッチアームが、流体投与装置と接触することにより閉位置に維持され、ラッチがラッチ起動装置により釈放される請求項１４１の装置。
【請求項１４３】
ラッチ起動装置が、ラッチアームに連結した第１電動アクチュエータを含み、該第１電動アクチュエータは、電気を印加されるとラッチアームを閉位置から開位置に移動させる請求項１４２の装置。
【請求項１４４】
第１電動アクチュエータが、形状記憶合金、形状記憶ポリマー、圧電アクチュエータ、ソレノイドの何れか１つを含む請求項１４３の装置。
【請求項１４５】
第１ラッチ起動装置に接続されたローカルプロセッサにして、第１刺し込み指令に基づき電動アクチュエータに電気を印加するようにプログラムしたローカルプロセッサと、
別個の遠隔制御装置からの第１刺し込み指令を受け、受けた第１刺し込み指令をローカルプロセッサに送るための無線レシーバと、
を含む請求項１４３の装置。
【請求項１４６】
ハウジングが、ローカルプロセッサに第１刺し込み指令を提供するためのユーザー入力部品を持たない請求項１４５の装置。
【請求項１４７】
流体投与装置とは別個の遠隔制御装置を含み、
リモートプロセッサと、
該リモートプロセッサに接続され、第１刺し込み指令をローカルプロセッサに送るためのユーザーインターフェース部品と、
第１刺し込み指令を流体投与装置の無線レシーバに送るべくローカルプロセッサに結合したトランスミッタと、
を更に含む請求項１４５の装置。
【請求項１４８】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジング外側の第２位置に移動させて人の皮膚に刺し込ませるための刺し込み起動装置と、
を含み、
前記流体投与装置が、可撓性カニューラの内部に収納した針を含み、前記刺通部材が該針の遠方端位置に配置され、前記可撓性カニューラが該可撓性カニューラの遠方端位置に引き込み防止機構を含み、流体投与装置が第１位置にあるとき該引込み防止機構がハウジング内にあり、引込み防止機構が可撓性カニューラの遠方端を越えて伸延され、
前記刺し込み起動装置が、流体投与装置に摺動自在に連結したカム及びフォロワ部分にして、カムが第１カム部分及び第２カム部分を含み、流体投与装置が、前記フォロワ部分が第１カム部分と接触すると第１位置に移動され、フォロワ部分が第２カム部分と接触すると第２位置に移動され、かくして針の刺通部材と、可撓性カニューラの遠方端とが出口ポートを貫いて伸延して人の皮膚に入り込み、可撓性カニューラの引込み防止機構がハウジングの出口ポートと接触するようにされるカム及びフォロワ部分と、
前記フォロワ部分を第１カム部分と接触する状態から第２カム部分と接触する状態へと移動するための駆動手段と、を含む装置。
【請求項１４９】
刺し込み起動装置が第３カム部分を更に含み、駆動手段がフォロワ部分を第２カム部分と接触する状態から第３カム部分と接触する状態に移動し、該移動に際して針が第３位置に引き込まれる請求項１４８の装置。
【請求項１５０】
駆動手段が、フォロワ部分を第１カム部分と接触する状態から第２カム部分と接触する状態を経て、第３カム部分と接触する状態に偏倚させるためのバネを含む請求項１４９の装置。
【請求項１５１】
フォロワ部分が第１カム部分と接触するときバネが負荷状態とされる請求項１５０の装置。
【請求項１５２】
ラッチアームにして、その閉位置においてバネを負荷状態に維持するラッチアームを更に含む請求項１５１の装置。
【請求項１５３】
ラッチアームが、バネと接触することにより閉位置に維持され、ラッチがラッチ起動装置により釈放される請求項１５２の装置。
【請求項１５４】
ラッチ起動装置が、ラッチアームに連結した第１電動アクチュエータを含み、該第１電動アクチュエータは、電気を印加されるとラッチアームを閉位置から開位置に移動させる請求項１５３の装置。
【請求項１５５】
第１電動アクチュエータが、形状記憶合金、形状記憶ポリマー、圧電アクチュエータ、ソレノイドの何れか１つを含む請求項１５４の装置。
【請求項１５６】
流体投与装置に第１力を付与する第１バネと、流体投与装置に第２力を付与する第２バネとを含み、第１バネが、針と連結し且つ可撓性カニューラと接触する近接端と、第２バネの遠方端に連結した遠方端とを有し、
第２バネが、ハウジングに関する第１位置にある近接端を有し、
第１バネ及び第２バネが、流体投与装置が第１位置にあるときは負荷状態とされる請求項７５の装置。
【請求項１５７】
刺し込み起動装置が、第１バネ及び第２バネと接触してこれら第１バネ及び第２バネを負荷状態に維持する一体の制御機構を更に含み、該制御機構が、第２バネの近接端と接触する第１フィンガと、第２バネの遠方端と接触する第２フィンガとを有し、第１フィンガが第２フィンガよりも短い請求項１５６の装置。
【請求項１５８】
制御機構を第１バネ及び第２バネとの接触状態から外すと第１フィンガが第１バネの近接端を釈放し、かくして、流体投与装置をして第１力により第１位置から第２位置へと移動せしめ、
第１力が付加された後、第２フィンガが第２バネの遠方端を釈放し、かくして、針をして第２力により第２位置から第３位置へと移動せしめるようにした請求項１５７の装置。
【請求項１５９】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジング外側の第２位置に移動させ、て刺し込ませるための刺し込み起動装置と、
運動絶縁装置にして、刺通部材がハウジングの外側で且つ人の皮膚の内部に伸延された際に流体投与装置からハウジングの運動を絶縁させるための運動絶縁装置を含む装置。
【請求項１６０】
運動絶縁装置が、流体投与装置とハウジングとの間に連結したバネ機構にして、ハウジングをして流体投与装置とは無関係に移動可能とするバネ機構を含む請求項１５９の装置。
【請求項１６１】
流体投与装置が可撓性カニューラを含み、運動絶縁装置が、可撓性カニューラの遠方端と可撓性カニューラの、ハウジングに固定した中央部分との間におけるループ部分を含み、該ループ部分がハウジングを可撓性カニューラとは無関係に移動可能とする請求項１５９の装置。
【請求項１６２】
プランジャが、刺通部材の刺し込み部位が見えるようにするために透明材料から形成される請求項２の装置。
【請求項１６３】
プランジャが、刺し込み部位の拡大画像を提供するようにした請求項１６２の装置。
【請求項１６４】
プランジャを通して刺し込み部位を照明する照明手段を更に含む請求項１６２の装置。
【請求項１６５】
人に流体を投与するための装置であって、
人に投与するべき流体を収納するリザーバと、
リザーバから人に流体を投与するための流体投与装置にして、リザーバと流体連通する近接端と、該流体投与装置を通しての人への流体投与を容易化するべく、人の皮膚に刺し込むための刺通部材を有する遠方端と、
を有する流体投与装置と、
リザーバ及び流体投与装置を格納するハウジングにして、流体投与装置の遠方端を人に刺し込む際に流体投与装置の遠方端を受けるための出口ポートと、ハウジングの第１壁を患者の皮膚に固定するための固定手段と、を含むハウジングと、
流体投与装置と接触し、前記刺通部材をハウジング内の第１位置から、出口ポートを通してハウジング外側の第２位置に移動させて人の皮膚に刺し込ませるための刺し込み起動装置と、
を含み、
前記流体投与装置が、可撓性カニューラの内部に収納した針を含み、前記刺通部材が該針の遠方端位置に配置され、前記可撓性カニューラが該可撓性カニューラの遠方端位置に引き込み防止機構を含み、流体投与装置が第１位置にあるとき該引込み防止機構がハウジング内にあり、引込み防止機構が可撓性カニューラの遠方端を越えて伸延され、
前記刺し込み起動装置が、流体投与装置に連結したプランジャと、第１バネを負荷状態に維持するための第１ラッチアームと、第２バネを負荷状態に維持するための第２ラッチアームと、を含み、第１ラッチアームが釈放されると第１バネが脱負荷状態とされてプランジャ装置と流体投与装置とを第１位置から第２位置へと付勢し、第２ラッチアームが釈放されると第２バネが脱負荷状態とされてプランジャ装置を第２位置から第３位置へと移動させるようにした装置。
【請求項１６６】
ラッチ機構が、第１ラッチアームに連結した電動アクチュエータを含み、該電動アクチュエータが、電気を印加されると起動して第１ラッチアームを釈放するようにした請求項１６５の装置。
【請求項１６７】
プランジャ装置が第２ラッチアームを釈放する釈放手段を含み、該釈放手段が、プランジャ装置がその第２位置に到達すると第２ラッチアームと接触し、かくして第２ラッチアームを釈放する請求項１６６の装置。
【請求項１６８】
電動アクチュエータが、形状記憶合金、形状記憶ポリマー、圧電アクチュエータ、ソレノイド、の何れか１つを含む請求項１６７の装置。
【請求項１６９】
第３位置が第１位置である請求項１６５の装置。
【請求項１７０】
第３位置がハウジング内部にあり且つ第１位置よりも出口ポートから離れている請求項１６５の装置。
【請求項１７１】
第３位置が第１位置及び第２位置の間にあり、刺通部材が可撓性カニューラの遠方端とハウジングの出口ポートとの間に位置付けられる請求項１６５の装置。
【請求項１７２】
人に流体を投与するための装置であって、
人に投与するべき流体を収納するリザーバと、
リザーバから人に流体を投与するための流体投与装置にして、少なくとも２つのカニューラを含み、各カニューラが、リザーバ取れ流体連通し得る近接端と、該流体投与装置を通しての人への流体投与を容易化するべく、人の皮膚に刺し込むための刺通部材を有する遠方端と、を有する流体投与装置と、
リザーバ及び流体投与装置を格納するハウジングにして、流体投与装置の遠方端を人に刺し込む際に前記少なくとも２つのカニューラの各遠方端を受けるための少なくとも１つの出口ポートと、ハウジングの第１壁を患者の皮膚に固定するための固定手段と、を含むハウジングと、
流体投与装置と接触し、前記少なくとも２つのカニューラの各々を別個に人の皮膚に刺し込ませるための刺し込み起動装置にして、カニューラが人の皮膚に刺し込まれる時、刺し込まれたカニューラがリザーバと流体連通し、刺し込まれなかったカニューラがリザーバとは流体連通されないようにした刺し込み起動装置と、
を含む装置。
【手続補正２】
【補正対象書類名】明細書
【補正対象項目名】００１６
【補正方法】変更
【補正の内容】
【００１６】
ラッチ釈放機構は、ラッチとハウジングの側壁との間に連結した電動アクチュエータを含み得る。この電動アクチュエータは、電気を印加（以下、単に“印加”とする）されるとラッチを引き、ラッチをピボットアームの遠方端との接触状態から外す。電動アクチュエータは形状記憶合金、形状記憶ポリマー、圧電アクチュエータ、ソレノイド、の何れか１つを含み得る。本発明の装置は、ラッチ釈放機構に結合され、刺し込み指令に基づいて前記電動アクチュエータを印加するようプログラムされたローカルプロセッサと、別個の遠隔制御装置からの刺し込み指令を受け、受けた指令をローカルプロセッサに送る無線レシーバとを更に含み得る。ハウジングは、刺し込み指令をローカルプロセッサに提供するユーザー入力部品を持たないようにされ得る。装置には、流体投与装置とは別個の遠隔制御装置にして、遠隔プロセッサと、刺し込み指令をこの遠隔プロセッサに伝達するべくリモートプロセッサに接続したユーザーインターフェース部品と、刺し込み指令を流体投与装置の無線レシーバに伝達するべくリモートプロセッサに接続したトランスミッタと、を含む遠隔制御装置を含み得る。ラッチ釈放機構は、ラッチに連結され、前記側壁を貫いて突出する機械的なレバーを含み得る。このレバーをハウジングから離れるように引くとラッチがピボットアームの遠方端との接触状態から外れる。
【手続補正３】
【補正対象書類名】明細書
【補正対象項目名】００３９
【補正方法】変更
【補正の内容】
【００３９】
本発明の他の実施例によれば、人に流体を分与するための装置が提供され、装置は、人に投与するべき流体を収納するリザーバと、リザーバから流体を人に分与するための流体投与装置にして、リザーバと流体連通する近接端と、流体投与装置を介しての患者への流体分与を容易化するための、患者の皮膚に刺し通す刺通部材を有する遠方端とを含む流体投与装置と、前記リザーバと流体投与装置とを収納するハウジングにして、刺通部材を人に刺し込むに際して流体投与装置の遠方端を受けるための出口ポートと、ハウジングの第１壁を患者の皮膚に固定するための固定手段とを含むハウジングと、刺し込み起動装置にして、流体投与装置と接触して刺通部材をハウジング内の第１位置から、出口ポートを通してハウジング外の第２位置へと駆動させ、患者の皮膚に刺通させる駆動機構を含む刺し込み起動装置とを含んでいる。流体投与装置は、可撓性カニューラの内部に収納した針を含み、針の遠方端位置には刺通部材が配置される。可撓性カニューラは、この可撓性カニューラの遠方端に近接する引込み防止機構を含み、かくして、流体投与装置が第１位置にあるとき、この引込み防止機構はハウジングの内部にあり、刺通部材は可撓性カニューラの遠方端を越えて伸延する。駆動機構は、刺し込み起動装置の回転駆動手段と、流体投与装置との間に連結した回転運動を直線運動に変換する直線運動変換装置にして、この直線運動変換装置の駆動軸に加えられた回転運動を直線運動に変換し、駆動機構をして刺通部材を、前記駆動軸の回転移動の第１部分の間に、第１位置から第２位置に移動せしめる直線運動変換装置を含む。
【手続補正４】
【補正対象書類名】明細書
【補正対象項目名】００４０
【補正方法】変更
【補正の内容】
【００４０】
回転運動を直線運動に変換する直線運動変換装置は、駆動軸の回転移動の第２部分の間に、刺通部材を第３位置に引き込むべく作動され得る。前記直線運動変換装置は駆動軸に連結され、付勢ロッドを含むクランクを更に含み得る。刺し込み起動装置は、流体投与装置に連結した力変換機を含む。力変換機は付勢ロッドを受けるための長手方向長孔を有し、前記駆動軸及びクランクが回転すると、付勢ロッドの回転運動を直線運動に変換する。変換された直線運動は流体投与装置に付加され、刺通部材が第１位置から第２位置へ、更に第３位置に移動する。刺し込み起動装置の回転駆動手段はモーターを含み得、また前記回転駆動手段は、その付加状態下において駆動軸を中心として配置したバネにして、脱負荷されると駆動軸を回転させるバネを含み得る。刺し込み起動装置は更に、バネを負荷状態に維持する閉位置と、バネを負荷状態から釈放して駆動軸を回転せしめる開位置との間で可動のラッチアームを更に含み得る。ラッチアームはクランクと接触することによりその閉位置に保持され得、ラッチ起動装置によりその開位置に移動される。ラッチ起動装置は、ラッチアームに連結した第１電動アクチュエータにして、印加されることにより起動し、ラッチアームをしてその閉位置から開位置へと移動せしめる第１電動アクチュエータを含み得る。